(57)【特許請求の範囲】
【請求項１】
円盤刃を軸心部で固定させる円盤刃固定台と、該円盤刃固定台に固定させられた円盤刃を所定角度ずつ一方向に回転させる所定角度回転手段と、回転駆動させられる研削砥石を有する研削装置と、該所定角度回転手段による所定角度の回転に連動させられて、該研削装置と該円盤刃とを互いに離隔又は接近させるリンク機構とを備え、前記研削装置が、前記円盤刃に対して離隔又は接近するように、前記リンク機構を構成し、
前記円盤刃固定台の周囲に複数の溝が一定間隔で設けられ、前記所定角度回転手段が、前記軸心部のまわりに回動可能なレバーと、該レバーとともに該軸心部のまわりに回動するように支持され、該溝に係合される係合部材と、該レバーを一定角度回動させた時に該係合部材を該溝から解除させる解除手段とを備えたことを特徴とする円盤刃研削装置。
【請求項２】
前記研削装置を略直線状に移動させることを特徴とする請求項１に記載する円盤刃研削装置。
【請求項３】
前記解除手段が、前記レバーを一定角度回動させた時に前記係合部材を接触させて、該係合部材を付勢力に反して回動させることにより、該係合部材を前記溝から解除させるレバーであることを特徴とする請求項１又は請求項２に記載する円盤刃研削装置。
【発明の詳細な説明】
【０００１】
【発明の属する技術分野】
本発明は、草刈り機等の円盤刃を研削するための円盤刃研削装置に関する。
【０００２】
【従来の技術】
従来から、草刈り機の円盤刃を使用後に廃却せずに何度も使用するために、円盤刃の研削作業が行われている。そこで、この円盤刃の研削作業を行うための円盤刃研削装置が本発明者によって案出されている（実願平２−９４７１，実願平４−７４９１３）。また、企業等によっても、例えば、チップソー等の研磨機が案出されている（特開平７−１１２３１７等）。
【０００３】
【発明が解決しようとする課題】
しかし、このチップソー等の研磨機は、構成要件が多いため、コストが高くなることが考えられる。また、円盤刃を移動させる構成であるため、安全性をさらに向上させることも必要があると考えられる。また、研削精度の面から改良する必要もある。
【０００４】
そこで、本発明者は、このような課題を解決するべく鋭意研究した結果、本発明に到達した。
【０００５】
【課題を解決するための手段】
本発明に係る円盤刃研削装置の要旨とするところは、円盤刃を軸心部で固定させる円盤刃固定台と、該円盤刃固定台に固定させられた円盤刃を所定角度ずつ一方向に回転させる所定角度回転手段と、回転駆動させられる研削砥石を有する研削装置と、該所定角度回転手段による所定角度の回転に連動させられて、該研削装置と該円盤刃とを互いに離隔又は接近させるリンク機構とを備え、前記リンク機構が、前記研削装置を移動させることにより該研削装置と該円盤刃とを互いに離隔又は接近させる構成であることにある。特には、前記円盤刃固定台の周囲に複数の溝が一定間隔で設けられ、前記所定角度回転手段が、前記軸心部のまわりに回動可能なレバーと、該レバーとともに該軸心部のまわりに回動するように支持され、該溝に係合される係合部材と、該レバーを一定角度回動させた時に該係合部材を該溝から解除させる解除手段とを備えたことを特徴とする。
【０００６】
このような本発明の円盤刃研削装置は、レバーを回動させて、係合部材によって円盤刃固定台が所定角度回転させられた瞬間に、この係合部材を溝から解除して、円盤刃固定台及び円盤刃が所定角度回転した時点で止まるようにされている。係合部材を溝から解除して、円盤刃固定台等を止めるため、所定位置で確実に止まることとなる。
【０００７】
また、本発明に係る円盤刃研削装置の要旨とするところは、前記研削装置を略直線状に移動させることにある。
【０００８】
また、本発明に係る円盤刃研削装置の要旨とするところは、前記解除手段が、前記レバーを一定角度回動させた時に前記係合部材を接触させて、該係合部材を付勢力に反して回動させることにより、該係合部材を前記溝から解除させるレバーであることを特徴とする。
【０００９】
【発明の実施の形態】
次に、本発明に係る円盤刃研削装置の実施の形態について、図面に基づいて詳しく説明する。
【００１０】
図１及び図２において、符号５０は本発明に係る円盤刃研削装置である。
【００１１】
この円盤刃研削装置５０は、８個の刃５１を有する円盤刃５２をその軸心部で固定させる円盤刃固定台５４と、円盤刃固定台５４に固定させられた円盤刃５２を所定角度ずつ一方向に回転させる所定角度回転手段５６と、回転駆動させられる研削砥石５８を有する研削装置６０と、所定角度回転手段５６による所定角度の回転に連動させられて、研削装置６０と円盤刃５２とを互いに離隔又は接近させるリンク機構６２とを備えた円盤刃研削装置であり、研削装置６０が円盤刃５２に対して離隔又は接近するようにリンク機構６２を構成した円盤刃研削装置である。
【００１２】
また、円盤刃研削装置５０は、円盤刃固定台５４の周囲に８個の溝６４が一定間隔で設けられ、所定角度回転手段５６が、軸心部のまわりに回動可能なレバー６６と、レバー６６とともに軸心部のまわりに回動するようにに支持され、溝６４に係合される係合部材６７と、レバー６６を一定角度回動させた時に係合部材６７を溝６４から解除させるプレート（解除手段）６８を備えている。
【００１３】
プレート６８は、レバー６６を反時計まわりに回動させて、係合部材６７によって円盤刃固定台５４が４５度回転させられた瞬間に、係合部材６７を接触させ、この係合部材６７をバネ７０の付勢力に反して時計まわりに回動させるようにされている。すなわち、係合部材６７を溝６４から解除して、円盤刃固定台５４及び円盤刃５２を４５度回転した時点で止めることができ、レバー６６を往復回動させていくことにより、８個の刃５１を有する円盤刃５２を４５度ずつ回転させていくことができるようにされている。
【００１４】
また、研削装置６０には、研削砥石５８を覆う金属製のカバー７２及び研削砥石５８を覆う透明樹脂製のカバー７４が備えられており、研削した粉塵が散乱して作業者の目や鼻に入らないようにされている。また、カバー７２の材質は、金属に限定されず、樹脂等であっても良い。また、カバー７４の材質は、透明であり、作業者が研削砥石５８と刃５１との接触状態を視覚的に確認できるものであれば特に限定されない。
【００１５】
このような円盤刃研削装置５０によれば、円盤刃５２を４５度回転させた時点で係合部材６７を溝６４から解除することにより、円盤刃５２を４５度回転した時点で確実に止めることができる。このため、作業者が円盤刃５２が回転し過ぎないように確認しながらレバー６６を回動させる必要がなく、円盤刃５２の回転作業が容易になる。
【００１６】
また、本発明の円盤刃研削装置５０において、図３に示すように、プレート（解除手段）７６によって係合部材６７を円盤刃固定台の溝から解除させる位置を変えることができるようにしても良い。このプレート７６は、固定部材７８及び８０のいずれか一方の溝に嵌合させて螺子８２によって固定することにより、係合部材６７を溝６４から解除させる位置を選択できるようにされている。すなわち、プレート７６を固定部材７８に固定することにより、８個の溝６４を有する円盤刃固定台５４に対応することができ、プレート７６を固定部材８０に固定することにより、１６個の溝６４を有する円盤刃固定台８４に対応することができる。このため、８個の刃を有する円盤刃を研削する場合には円盤刃固定台５４を４５度ずつ回転させていくことができ、１６個の刃を有する円盤刃を研削する場合には円盤刃固定台を２２．５度ずつ回転させていくことができる。
【００１７】
また、本発明の円盤刃研削装置５０において、図４に示すように、プレート（解除手段）８６を摺動させて固定軸３４のまわりに回動できるようにしても良い。このプレート８６は、固定軸３４を中心とする円弧状の溝を有する摺動部材９０に沿って摺動できるとともに、螺子９２によって固定できるようにされている。このようなプレート８６は、摺動部材９０に沿って摺動させることにより、円盤刃の刃及び円盤刃固定台の溝の個数に応じて、その位置を自由に変えることができる。このため、種々の円盤刃を研削することができ、より汎用性を高めることができる。
【００１８】
次に、本発明の円盤刃研削装置５０において、図５及び図６に示すように、円盤刃５２を覆う透明のカバー９４を備えても良い。このカバー９４は、側板９６と、この側板９６に螺子９７によって取り付けられた上面板９８とから構成され、側板９６が基板１００に固定されている。このような透明のカバー９４を備えておくことにより、研削した粉塵が散乱して作業者の目等に入るのを防止できるとともに、研削中に円盤端５２に作業者の手等が触れて負傷するのを防止できる。また、カバー９４は透明であるため、研削状態を確認しつつ研削作業を行うことができる。
【００１９】
また、螺子９７を緩めて側板９６を取り外すことにより、円盤刃５２及び円盤刃固定台５４を取り替えることができる。また、側板９６の扉１０２を開くことにより、螺子１０４を回動させることができ、円盤刃固定台５４等の取り付けられているフレーム１０６を摺動させて、円盤刃５２と研削装置６０との距離を微調節することができる。なお、このような円盤刃５２を覆う透明のカバー９４を備えることができたのは、円盤刃５２側を固定して研削装置６０側を離隔又は接近させる構成としたためである。
【００２０】
また、本発明の円盤刃研削装置５０において、図７に示すような透明のカバー１０８を備えても良い。このカバー１０８は、円の一部の形状の上面板及び下面板と、これら上面板及び下面板の円周に沿った側板とから構成されており、下面板が螺子１１０によってフレーム１０６に固定されている。このようなカバー１０８は、螺子１０４を回動させてフレーム１０６を摺動させた場合に、フレーム１０６と一体に摺動するようにされている。このため、円盤刃５２の移動量に対応させて大きく構成する必要はなく、コンパクトに構成されている。
【００２１】
以上、本発明の実施例について、図面に基づいて説明したが、本発明の円盤刃研削装置はその他の態様でも実施し得るものである。
【００２２】
例えば、本発明の円盤刃研削装置５０をチップを有する円盤刃の研削に利用しても良い。
【００２３】
また、本発明の円盤刃研削装置において、研削装置を略直線状に移動させる手段は、上述のリンク機構に限定されず、リンクをスライダにピンによって回動可能に取り付けた機構を備えたもの、シリンダのピストン運動を利用したもの、螺子棒と、この螺子棒に螺合して螺子棒が回動させられることにより摺動する摺動部材とを備えたもの、又はケージトングを利用したもの等であっても良い。
【００２４】
その他、本発明はその趣旨を逸脱しない範囲で当業者の知識に基づき種々なる改良、修正、変形を加えた形態で実施できるものである。
【００２５】
【発明の効果】
本発明に係る円盤刃研削装置によれば、複雑な機構を有する所定角度回転手段側を移動させる必要がないため、円盤刃研削装置全体としての機構をシンプルにすることができる。このため、製造コストを低減することが可能となる。また、研削装置側を移動させて研削装置と円盤刃とを互いに接近させる構成であり、作業者が研削機を手に保持して行っていた従来の研削作業と同じ態様で研削作業を行うことができる。このため、研削砥石を円盤刃の刃に接触する状態の確認を容易に行うことができ、研削精度を向上させることができる。また、所定角度回転手段側を移動させる必要がないため、鋭利な刃物である刃を有する円盤刃を移動させる必要がない。このため、安全性を向上させることができる。
【００２６】
また、円盤刃側を固定しておく構成にすることにより、円盤刃に安全カバーを容易に備えることが可能となる。また、研削液を円盤刃に吹き当てる装置や、研削による粉塵を吹き飛ばして掃除する装置等も、容易に取り付けることが可能となる。
【００２７】
また、研削装置を略直線状に移動させることを特徴とする本発明の円盤刃研削装置によれば、研削装置を固定した移動台を略平行な２本のリンクによって基盤へ連結して、研削装置の瞬間中心を遠方又は無限遠方に位置させること等によって、研削砥石を略直線運動させつつ、円盤刃に接触させることができるため、研削砥石を均一に円盤刃に接触させて研削することができる。このため、円盤刃の刃部全体に渡って万遍なく研削できるだけでなく、円盤刃の外形が変化したり、円盤刃及び研削砥石が破損するのを防止できる。また、円盤刃の刃部全体に渡って研削できるため、研削精度を向上させることができる。また、研削砥石を略直線運動させつつ、円盤刃に接触させることができるため、作業者による研削装置の移動軌跡の予測が容易になる。このため、研削砥石を安全かつ確実に円盤刃の刃に接触させることができる。
【００２８】
また、円盤刃固定台の周囲に複数の溝が一定間隔で設けられ、所定角度回転手段が、軸心部のまわりに回動可能なレバーと、レバーとともに軸心部のまわりに回動するように支持され、溝に係合される係合部材と、レバーを一定角度回動させた時に係合部材を溝から解除させる解除手段を備えたことを特徴とする本発明の円盤刃研削装置によれば、円盤刃を所定角度回転させた時点で係合部材を溝から解除することにより、円盤刃を所定角度回転した時点で確実に止めることができる。このため、作業者が円盤刃が回転し過ぎないように確認しながらレバーを回動させる必要がなく、円盤刃の回転作業が容易になる。
【図面の簡単な説明】
【図１】  本発明に係る円盤刃研削装置の実施の形態を示す平面図である。
【図２】  図１に示す円盤刃研削装置を示す正面図である。
【図３】  図１及び図２に示す解除手段の他の実施の形態を示す図であり、同図（ａ）は平面図、同図（ｂ）は正面図である。
【図４】  図１及び図２に示す解除手段の更に他の実施の形態を示す平面図である。
【図５】  本発明に係る円盤刃研削装置の更に他の実施の形態を示す平面図である。
【図６】  図１０に示す円盤刃研削装置を示す側面図である。
【図７】  本発明に係る円盤刃研削装置の更に他の実施の形態を示す平面図である。
【符号の説明】
５０；円盤刃研削装置
５２；円盤刃
５４；円盤刃固定台
５６；所定角度回転手段
５８；研削砥石
６０；研削装置
６２，１１２；リンク機構
１００；基盤
６６；レバー
５１；刃
６４；溝
６７；係合部材
６８，７６，８６；プレート（解除手段）
７０；バネ
７２，７４，９２，１０８；カバー
１０２；扉
１０４；螺子
１２６；チップ
【図１】
0003799535.tif 000002
【図２】
0003799535.tif 000003
【図３】
0003799535.tif 000004
【図４】
0003799535.tif 000005
【図５】
0003799535.tif 000006
【図６】
0003799535.tif 000007
【図７】
0003799535.tif 000008